(57)【要約】【課題】１つのシャッターメガネで複数の画像表示装置で提示される立体画像を観視可能とする。【解決手段】ＴＶ１００のＩＲ受光部１０３は、ＰＣ２００のＩＲ発光部２０２から出力される同期信号（赤外線信号）を外部同期信号として受信する。ＰＣ２００のＩＲ受光部２０３は、ＴＶ１００のＩＲ発光部１０２から出力される同期信号（赤外線信号）を外部同期信号として受信する。ＴＶ１００、ＰＣ２００は、外部同期信号が受信されるとき、この外部同期信号または内部同期信号のいずれかを選択し、その同期信号に基づいた表示タイミングで、左眼画像および右眼画像をディスプレイ１０１，２０１に交互に表示する。例えば、ＴＶが内部同期信号で動作し、ＰＣは外部同期信号で動作する、またはその逆の状態となる。これにより、ＴＶ１００とＰＣ２００における左眼画像および右眼画像の表示タイミングの同期が図られる。【選択図】図１
2011188232.tif 000002
【特許請求の範囲】
【請求項１】
画像表示部と、
視差を有する左眼画像および右眼画像を上記画像表示部に交互に表示する表示制御部と、
上記画像表示部への上記左眼画像および上記右眼画像の表示タイミングを示す同期信号を内部同期信号として生成する同期信号生成部と、
他の画像表示装置から出力される左眼画像および右眼画像の表示タイミングを示す同期信号を外部同期信号として受信する同期信号受信部と、
上記同期信号受信部で上記外部同期信号が受信されるとき、該外部同期信号または上記同期信号生成部から出力される上記内部同期信号のいずれかを基準同期信号として選択する同期信号選択部とを備え、
上記表示制御部は、上記同期信号選択部で選択された上記基準同期信号に基づいた表示タイミングで上記左眼画像および上記右眼画像を上記画像表示部に交互に表示する
画像表示装置。
【請求項２】
上記同期信号選択部は、
上記外部同期信号と上記内部同期信号に基づいて、それぞれの周波数や信号フォーマットを判別し、上記外部同期信号に基づく周波数や信号フォーマットが、上記内部同期信号に基づく周波数や信号フォーマットよりも高速である場合は、上記外部同期信号を上記基準同期信号として選択し、
上記外部同期信号に基づく周波数や信号フォーマットが、上記内部同期信号に基づく周波数や信号フォーマットと同じ場合は、上記外部同期信号または上記内部同期信号を上記基準同期信号として選択し、それ以外の場合、内部同期信号を基準同期信号として選択する
請求項１に記載の画像表示装置。
【請求項３】
上記同期信号選択部は、電源オン時の上記外部同期信号の取得状態や、ユーザの選択操作に基づいて、上記外部同期信号または上記内部同期信号を上記基準同期信号として選択する
請求項１に記載の画像表示装置。
【請求項４】
マスターモード、スレーブモード、オートモードまたはマニュアルモードを選択的に設定するためのユーザ設定部をさらに備え、
上記同期信号選択部は、
上記ユーザ設定部により上記マスターモードが選択されるとき、上記内部同期信号を上記基準同期信号として選択し、
上記ユーザ設定部により上記スレーブモードが選択されるとき、上記外部同期信号を上記基準同期信号として選択し、
上記ユーザ設定部により上記オードモードが選択されるとき、上記外部同期信号と上記内部同期信号に基づいて、それぞれの周波数や信号フォーマットを判別し、上記外部同期信号に基づく周波数や信号フォーマットが、上記内部同期信号に基づく周波数や信号フォーマットよりも高速である場合は、上記外部同期信号を上記基準同期信号として選択し、上記外部同期信号に基づく周波数や信号フォーマットが、上記内部同期信号に基づく周波数や信号フォーマットと同じ場合は、上記外部同期信号または上記内部同期信号を上記基準同期信号として選択し、それ以外の場合、上記内部同期信号を上記基準同期信号として選択し、
上記ユーザ設定部により上記マニュアルモードが選択されるとき、ユーザの選択操作に応じて、上記外部同期信号または上記内部同期信号を上記基準同期信号として選択する
請求項１に記載の画像表示装置。
【請求項５】
上記同期信号選択部で選択された上記基準同期信号または上記内部同期信号に基づいて送信用同期信号を生成し、他の画像表示装置および立体画像観察用シャッターメガネへ、上記送信用同期信号を送信する同期信号送信部をさらに備える
請求項１に載の画像表示装置
【請求項６】
上記同期信号送信部は、上記同期信号選択部で上記外部同期信号が上記基準同期信号として選択されるとき、上記同期信号の送信を停止する
請求項５に記載の画像表示装置。
【請求項７】
上記同期信号選択部は、
上記外部同期信号と上記内部同期信号に基づいて、それぞれの周波数や信号フォーマットを判別し、上記外部同期信号または上記内部同期信号から選択された上記基準同期信号に基づく周波数や信号フォーマットが上記画像表示部で表示可能な周波数や信号フォーマットでない場合は、上記基準同期信号に基づく表示タイミングに同期し、かつ上記画像表示部で表示可能な周波数や信号フォーマットとなるように、上記基準同期信号の周波数や信号フォーマットを変換または調整し、該変換または調整された基準同期信号を出力する
請求項１に記載の画像表示装置。
【請求項８】
左眼画像信号および右眼画像信号を入力する画像処理部をさらに備え、
上記画像処理部は、
入力された左眼画像信号および右眼画像信号に対して、上記基準同期信号に基づいて信号フォーマットの変換処理を行い、
該変換処理後の左眼画像信号および右眼画像信号を、上記基準同期信号に基づく表示タイミングに同期させて、上記表示制御部へ出力する
請求項１に記載の画像表示装置。
【請求項９】
上記同期信号受信部の通信方式は、赤外線通信方式または無線通信方式である
請求項１に記載の画像表示装置。
【請求項１０】
上記同期信号送信部の通信方式は、赤外線通信方式または無線通信方式である
請求項５に記載の画像表示装置。
【請求項１１】
視差を有する左眼画像および右眼画像を画像表示部に交互に表示する表示制御ステップと、
上記画像表示部への上記左眼画像および上記右眼画像の表示タイミングを示す同期信号を内部同期信号として生成する同期信号生成ステップと、
他の画像表示装置から出力される左眼画像および右眼画像の表示タイミングを示す同期信号を外部同期信号として受信する同期信号受信ステップと、
上記同期信号受信ステップで上記外部同期信号が受信されるとき、該外部同期信号または上記同期信号生成ステップで生成される上記内部同期信号のいずれかを基準同期信号として選択する同期信号選択ステップとを備え、
上記表示制御ステップでは、上記同期信号選択ステップで選択された上記基準同期信号に基づいた表示タイミングで上記左眼画像および上記右眼画像を上記画像表示部に交互に表示する
画像表示方法。
【発明の詳細な説明】
【技術分野】
【０００１】
この発明は、画像表示装置および画像表示方法に関し、特に、観視者に立体画像を知覚させるために視差を有する左眼画像および右眼画像を交互に表示する画像表示装置等に関する。
【背景技術】
【０００２】
従来、立体画像の表示方式として、シャッターメガネ方式が知られている。このシャッターメガネ方式では、画像表示装置のディスプレイ（画像表示部）に視差を有する左眼画像および右眼画像を交互に表示し、シャッターメガネを通して観視させることで、観視者に立体画像を知覚させる（例えば、特許文献１、特許文献２、特許文献３参照）。
【０００３】
この場合、画像表示装置から左眼画像および右眼画像の表示タイミングを示す同期信号が出力される。シャッターメガネは、その同期信号に基づいて、左眼画像が表示されるタイミングで左眼シャッターを開き、右眼画像が表示されるタイミングで右眼シャッターを開く構成となっている。
【先行技術文献】
【特許文献】
【０００４】
【特許文献１】特開２００２−２０９２３２号公報
【特許文献２】特開平０８−２７５２０７号公報
【特許文献３】特開２００３−１６８１３６号公報
【発明の概要】
【発明が解決しようとする課題】
【０００５】
今後、上述したようにディスプレイに視差を有する左眼画像および右眼画像を交互に表示する画像表示装置が複数存在し、それらを同時に観視する環境が想定される。例えば、テレビ受信機（ＴＶ）で提示される立体画像とパーソナルコンピュータ（ＰＣ）の画面で提示される立体画像とを同時並列的に観視する環境が考えられる。
【０００６】
この場合、各画像表示装置で提示される立体画像を１つのシャッターメガネで観視するためには、各画像表示装置のディスプレイに表示される左眼画像および右眼画像の表示タイミングの同期が図られる必要がある。
【０００７】
この発明の目的は、１つのシャッターメガネで複数の画像表示装置で提示される立体画像を観視可能とすることにある。
【課題を解決するための手段】
【０００８】
この発明の概念は、
画像表示部と、
視差を有する左眼画像および右眼画像を上記画像表示部に交互に表示する表示制御部と、
上記画像表示部への上記左眼画像および上記右眼画像の表示タイミングを示す同期信号を内部同期信号として生成する同期信号生成部と、
他の画像表示装置から出力される左眼画像および右眼画像の表示タイミングを示す同期信号を外部同期信号として受信する同期信号受信部と、
上記同期信号受信部で上記外部同期信号が受信されるとき、該外部同期信号または上記同期信号生成部から出力される上記内部同期信号のいずれかを基準同期信号として選択する同期信号選択部とを備え、
上記表示制御部は、上記同期信号選択部で選択された上記基準同期信号に基づいた表示タイミングで上記左眼画像および上記右眼画像を上記画像表示部に交互に表示する
画像表示装置にある。
【０００９】
この発明において、表示制御部により、視差を有する左眼画像および右眼画像が画像表示部に交互に表示される。同期信号受信部で他の画像表示装置から出力される左眼画像および右眼画像の表示タイミングを示す同期信号が外部同期信号として受信されるとき、同期信号選択部により外部同期信号または内部同期信号のいずれかが基準同期信号として選択される。表示制御部では、同期信号選択部で選択された基準同期信号に基づいた表示タイミングで左眼画像および右眼画像を画像表示部に交互に表示することが行われる。同期信号受信部の通信方式は、例えば、赤外線通信方式または無線通信方式とされる。
【００１０】
この発明において、例えば、同期信号選択部は、外部同期信号と内部同期信号に基づいて、それぞれの周波数や信号フォーマットを判別し、外部同期信号に基づく周波数や信号フォーマットが、内部同期信号に基づく周波数や信号フォーマットよりも高速である場合は、外部同期信号を基準同期信号として選択し、外部同期信号に基づく周波数や信号フォーマットが、内部同期信号に基づく周波数や信号フォーマットと同じ場合は、外部同期信号または内部同期信号を基準同期信号として選択し、それ以外の場合、内部同期信号を基準同期信号として選択する、ようにされる。
【００１１】
また、この発明において、例えば、同期信号選択部は、電源オン時の上記外部同期信号の取得状態や、ユーザの選択操作に応じて、外部同期信号または内部同期信号を基準同期信号として選択する、ようにされる。
【００１２】
また、この発明において、例えば、マスターモード、スレーブモード、オートモードまたはマニュアルモードを選択的に設定するためのユーザ設定部をさらに備え、同期信号選択部は、ユーザ設定部によりマスターモードが選択されるとき内部同期信号を基準同期信号として選択し、ユーザ設定部によりスレーブモードが選択されるとき外部同期信号を基準同期信号として選択し、ユーザ設定部によりオードモードが選択されるとき、外部同期信号と内部同期信号に基づいて、それぞれの周波数や信号フォーマットを判別し、外部同期信号に基づく周波数や信号フォーマットが、内部同期信号に基づく周波数や信号フォーマットよりも高速である場合は、外部同期信号を基準同期信号として選択し、外部同期信号に基づく周波数や信号フォーマットが、内部同期信号に基づく周波数や信号フォーマットと同じ場合は、外部同期信号または内部同期信号を基準同期信号として選択し、それ以外の場合、内部同期信号を基準同期信号として選択し、ユーザ設定部によりマニュアルモードが選択されるとき、ユーザの選択操作に応じて、外部同期信号または内部同期信号を基準同期信号として選択する、ようにされる。
【００１３】
外部同期信号と内部同期信号の周波数や信号フォーマットは、例えば、左眼画像および右眼画像の表示タイミング周期や、解像度やフレームレート、インターレース/プログレッシブ、映像信号のタイミングに関するフォーマットであり、480i、480p、1080i、720p、1080p、VGA, SVGA, XGA, WXGA, SXGA,UXGA、３０フレーム/秒、６０フレーム/秒、９０フレーム/秒、１２０フレーム/秒、２４０フレーム/秒、４８０フレーム/秒 （ｉ：インターレース  ｐ：プログレッシブ）等がある。
【００１４】
また、この発明において、例えば、同期信号選択部で選択された基準同期信号、または内部同期信号に基づいて送信用同期信号を生成し、他の画像表示装置および立体画像観察用シャッターメガネへ、送信用同期信号を送信する同期信号送信部をさらに備える、ようにされる。この同期信号送信部の通信方式は、例えば、赤外線通信方式または無線通信方式とされる。
【００１５】
このように、この発明においては、外部同期信号（他の画像表示装置から出力される左眼画像および右眼画像の表示タイミングを示す同期信号）が受信されるとき、外部同期信号または内部同期信号が基準同期信号として選択され、この選択された基準同期信号に基づいた表示タイミングで左眼画像および右眼画像が画像表示部に交互に表示される。なお、内部同期信号が基準同期信号として選択されるとき、内部同期信号に基づいた送信用同期信号が同期信号送信部から送信される。他の画像表示装置では、その
送信用同期信号を、外部同期信号として受信し、その外部同期信号に基づいた表示タイミングで左眼画像および右眼画像が画像表示部に交互に表示される。
【００１６】
また、この発明において、例えば、同期信号選択部は、外部同期信号と内部同期信号に基づいて、それぞれの周波数や信号フォーマットを判別し、外部同期信号または内部同期信号から選択された基準同期信号に基づく周波数や信号フォーマットが画像表示部で表示可能な周波数や信号フォーマットでない場合は、基準同期信号に基づく表示タイミングに同期し、かつ画像表示部で表示可能な周波数や信号フォーマットとなるように、基準同期信号の周波数や信号フォーマットを変換または調整し、この変換または調整された基準同期信号を出力する、ようにされる。この場合、外部同期信号または内部同期信号から選択された基準同期信号に基づく周波数や信号フォーマットが画像表示部で表示可能な周波数や信号フォーマットでない場合であっても、同期信号選択部からは、画像表示部で表示可能な周波数や信号フォーマットに対応した適切な基準同期信号を出力することが可能となる。
【００１７】
そのため、各画像表示装置の画像表示部に交互に表示される左眼画像および右眼画像の表示タイミングの同期が図られる。したがって、１つの立体画像観察用シャッターメガネで複数の画像表示装置で提示される立体画像を観視することが可能となる。
【００１８】
また、この発明において、例えば、同期信号送信部は、同期信号選択部で外部同期信号が基準同期信号として選択されるとき、同期信号の送信を停止する、ようにされてもよい。この場合、シャッターメガネは、他の画像表示装置から送信される同期信号のみを受信してシャッター動作を行う。そのため、複数の画像表示装置から送信される同期信号を受信することによる誤動作を回避できる。
【００１９】
また、この発明において、左眼画像信号および右眼画像信号を入力する画像処理部をさらに備え、画像処理部は、入力された左眼画像信号および右眼画像信号に対して、基準同期信号に基づいて信号フォーマットの変換処理を行い、この変換処理後の左眼画像信号および右眼画像信号を、基準同期信号に基づく表示タイミングに同期させて、表示制御部へ出力する、ようにされる。
【発明の効果】
【００２０】
この発明によれば、各画像表示装置の画像表示部に交互に表示される左眼画像および右眼画像の表示タイミングの同期が図られるため、１つの立体画像観察用シャッターメガネで複数の画像表示装置で提示される立体画像を観視することが可能となる。
【図面の簡単な説明】
【００２１】
【図１】この発明の実施の形態としての画像表示観察システムの構成例を示すブロック図である。
【図２】画像表示観察システムにおける立体画像の表示動作を説明するための模式的図である。
【図３】画像表示観察システムを構成するテレビ受信機の構成例を示すブロック図である。
【図４】テレビ受信機の同期信号処理部が解像度判別部、スイッチ部および基準同期信号調整部を有していることを示すブロック図である。
【図５】ＣＰＵの処理モード決定動作及び、スイッチ部の同期選択処理の決定動作の処理手順を示すフローチャートである。
【図６】ユーザが処理モードの設定（変更）を行う際にディスプレイに表示されるＵＩ画面の一例を示す図である。
【図７】マニュアルモードに設定（変更）されたときのサブルーチン処理を示すフローチャートである。
【図８】マニュアルモードにおける同期処理選択用のＵＩ画面の一例を示す図である。
【図９】オートモードに設定（変更）されたときのサブルーチン処理を示すフローチャートである。
【図１０】画像表示観察システムを構成するパーソナルコンピュータの構成例を示すブロック図である。
【図１１】シャッターメガネの構成例を示すブロック図である。
【図１２】画像表示観察システムの他の構成例を示すブロック図である。
【図１３】シャッターメガネの他の構成例を示すブロック図である。
【図１４】画像データと基準同期信号のタイミングを示すタイミングチャートである。
【図１５】外部同期信号からパーソナルコンピュータ２００で表示可能な基準同期信号の生成方法について、説明するためのタイミングチャートである
【発明を実施するための形態】
【００２２】
以下、発明を実施するための形態（以下、「実施の形態」とする）について説明する。なお、説明を以下の順序で行う。
１．実施の形態
２．変形例１
３．変形例２
【００２３】
＜１．実施の形態＞
［画像表示観察システムの構成例］
図１は、実施の形態としての画像表示観察システム１０の構成例を示している。この画像表示観察システム１０は、テレビ受信機（ＴＶ）１００と、パーソナルコンピュータ（ＰＣ）２００と、シャッターメガネ３００により構成されている。
【００２４】
テレビ受信機１００は、ディスプレイ１０１、赤外線（ＩＲ）発光部１０２および赤外線（ＩＲ）受光部１０３を有している。ディスプレイ１０１には、視差を有する左眼画像および右眼画像が交互に表示される。赤外線発光部１０２からは、ディスプレイ１０１への左眼画像および右眼画像の表示タイミングを示す同期信号が、赤外線信号として出力される。
【００２５】
赤外線受光部１０３では、他の画像表示装置、この実施の形態ではパーソナルコンピュータ２００から出力される同期信号（赤外線信号）が外部同期信号として受信される。テレビ受信機１００では、この赤外線受光部１０３で外部同期信号が受信されるとき、この外部同期信号または内部同期信号のいずれかが選択される。そして、テレビ受信機１００では、この選択された同期信号に基づいた表示タイミングで、左眼画像および右眼画像をディスプレイ１０１に交互に表示することが行われる。
【００２６】
パーソナルコンピュータ２００は、ディスプレイ２０１、赤外線（ＩＲ）発光部２０２および赤外線（ＩＲ）受光部２０３を有している。ディスプレイ２０１には、視差を有する左眼画像および右眼画像が交互に表示される。赤外線発光部２０２からは、ディスプレイ２０１への左眼画像および右眼画像の表示タイミングを示す同期信号が、赤外線信号として出力される。
【００２７】
赤外線受光部２０３では、他の画像表示装置、この実施の形態ではテレビ受信機１００から出力される同期信号（赤外線信号）が外部同期信号として受信される。パーソナルコンピュータ２００では、この赤外線受光部２０３で外部同期信号が受信されるとき、この外部同期信号または内部同期信号のいずれかが選択される。そして、パーソナルコンピュータ２００では、この選択された同期信号に基づいた表示タイミングで、左眼画像および右眼画像をディスプレイ２０１に交互に表示することが行われる。
【００２８】
ここで、パーソナルコンピュータ２００で外部同期信号（テレビ受信機１００から出力される同期信号）が選択されるとき、テレビ受信機１００では内部同期信号が選択される。一方、パーソナルコンピュータ２００で内部同期信号が選択されるとき、テレビ受信機１００では外部同期信号（パーソナルコンピュータ２００から出力される同期信号）が選択される。この場合、テレビ受信機１００のディスプレイ１０１とパーソナルコンピュータ２００のディスプレイ２０１に表示される左眼画像および右眼画像の表示タイミングの同期が図られる。
【００２９】
図２は、図１に示す画像表示観察システム１０における動作を模式的に示している。立体画像観察用のシャッターメガネ３００では、ディスプレイ１０１，２０１に左眼画像Ｌが表示されるタイミングで左眼シャッター３００Ｌが開かれ、右眼画像Ｒが表示されるタイミングで右眼シャッター３００Ｒが開かれる。そのため、観視者は、このシャッターメガネ３００を装着することで、左眼で左眼画像Ｌのみの知覚が可能となり、右眼で右眼画像Ｒのみの知覚が可能となる。これにより、観視者は、視差を有する左眼画像Ｌおよび右眼画像Ｒに基づいて、画像を立体的に認識可能となる。
【００３０】
上述したように、テレビ受信機１００のディスプレイ１０１とパーソナルコンピュータ２００のディスプレイ２０１に表示される左眼画像および右眼画像の表示タイミングの同期が図られる。そのため、１つのシャッターメガネ３００でテレビ受信機１００およびパーソナルコンピュータ２００で提示される立体画像を観視することが可能となる。
【００３１】
［テレビ受信機の構成］
テレビ受信機１００の構成例について説明する。図３は、テレビ受信機１００の構成例を示している。このテレビ受信機１００は、ディスプレイ１０１と、赤外線（ＩＲ）発光部１０２と、赤外線（ＩＲ）受光部１０３と、ＣＰＵ１０４と、フラッシュＲＯＭ１０５と、ＤＲＡＭ１０６を有している。
【００３２】
また、このテレビ受信機１００は、アンテナ端子１１１と、デジタルチューナ１１２と、ビットストリーム処理部１１３と、画像処理部１１４と、フレームシンクロナイザ１１５と、画像駆動部１１６を有している。また、このテレビ受信機１００は、同期信号出力制御部１２１と、外部同期制御部１２２と、同期信号処理部１２３と、動作クロック信号生成部１２４と、Ｕ／Ｉ制御部１２５を有している。このテレビ受信機１００を構成する、上述した個々のブロックは、バスを介して、相互に接続されている。
【００３３】
ここで、ディスプレイ１０１は、画像表示部を構成している。また、画像処理部１１４、フレームシンクロナイザ１１５および画像駆動部１１６は、表示制御部を構成している。また、同期信号出力制御部１２１および赤外線（ＩＲ）発光部１０２は、同期信号送信部を構成している。また、赤外線（ＩＲ）受光部１０３および外部同期制御部１２２は、同期信号受信部を構成している。また、同期信号処理部１２３およびＣＰＵ１０４は、同期信号選択部を構成している。
【００３４】
ＣＰＵ１０４は、テレビ受信機１００の各部の動作を制御する。フラッシュＲＯＭ１０５は、制御ソフトウェアの格納およびデータの保管を行う。ＤＲＡＭ１０６は、ＣＰＵ１０４のワークエリアを構成する。ＣＰＵ１０４は、フラッシュＲＯＭ１０５から読み出したソフトウェアやデータをＤＲＡＭ１０６上に展開してソフトウェアを起動させ、テレビ受信機１００の各部を制御する。
【００３５】
Ｕ／Ｉ制御部１２５は、テレビ受信機１００を遠隔制御するリモートコントローラ（図示せず）からのユーザの操作に対応する操作信号を受信し、この操作信号をバスを介してＣＰＵ１０４に供給する。また、このＵ／Ｉ制御部１２５は、テレビ受信機１００の操作パネル（図示せず）に設けられた操作ボタン等をユーザが操作することにより入力される操作信号を受信し、この操作信号を、バスを介して、ＣＰＵ１０４に供給する。操作信号としては、例えば、テレビ受信機１００の電源の投入および切断、デジタルチューナ１１２による選局、画像に関する処理、および、音声に関する処理、その他の各種の処理を指令する信号がある。
【００３６】
アンテナ端子１１１は、受信アンテナ（図示せず）で受信されたテレビ放送信号を入力する端子である。デジタルチューナ１１２は、アンテナ端子１１１に入力されたテレビ放送信号を処理して、ユーザの選択チャネルに対応したビットストリームデータを出力する。ビットストリーム処理部１１３は、ビットストリームデータから、例えば、立体画像用のコンテンツデータとしての画像データ（左眼画像データ、右眼画像データ）と音声データを抽出して出力する。また、ビットストリーム処理部１１３は、画像データの表示タイミングや信号フォーマット等を示す内部同期信号を出力する。なお、図３に示すテレビ受信機１００の構成例では、説明の簡単化のために、音声系については省略している。
【００３７】
画像処理部１１４は、ビットストリーム処理部１１３から出力される画像データに対して、時間方向のスケーリング処理およびその他の画像処理を行う。なお、画像処理部１１４は、ビットストリーム処理部１１３から出力される画像データが、ＭＰＥＧ(Moving Picture Expert Group)方式、あるいはその他の方式でエンコード処理されている場合、そのデコード処理も行う。
【００３８】
フレームシンクロナイザ１１５は、画像処理部１１４でスケーリング処理された画像データを、後述する基準同期信号に基づく左眼画像および右眼画像の表示タイミングに同期させて、出力する。画像駆動部１１６は、フレームシンクロナイザ１１５から出力される各フレーム画像データ（左眼画像データ、右眼画像データ）に基づいて、ディスプレイ１０１を駆動する。ディスプレイ１０１は、視差のある左眼画像Ｌおよび右眼画像Ｒを交互に表示する。ディスプレイ１０１は、例えば、ＬＣＤ（Liquid Crystal Display）、有機ＥＬ(Electro-Luminescence)などで構成されている。
【００３９】
同期信号出力制御部１２１は、ディスプレイ１０１に表示される左眼画像Ｌおよび右眼画像Ｒの表示タイミングを示すタイミング信号や信号フォーマット等に基づいて、駆動信号を赤外線発光部１０２に供給する。この赤外線発光部１０２は、駆動信号に応じて発光し、ディスプレイ１０１への左眼画像Ｌおよび右眼画像Ｒの表示タイミングや信号フォーマット等を示す同期信号を、赤外線信号として、出力する。
【００４０】
赤外線受光部１０３は、外部同期信号（赤外線信号）を受信する。外部同期制御部１２２は、赤外線受光部１０３で受信された外部同期信号を取得する。外部同期信号は、上述したように、パーソナルコンピュータ２００から出力される、そのディスプレイ２０１に表示される左眼画像Ｌおよび右眼画像Ｒの表示タイミングや信号フォーマット等を示す同期信号である。
【００４１】
同期信号処理部１２３は、図４に示すように、解像度判別部１３１、スイッチ部１３２および基準同期信号調整部１３３を備えている。解像度判別部１３１は、ビットストリーム処理部１１３から出力される内部同期信号と、外部同期制御部１２２で取得される外部同期信号を入力し、それぞれの同期信号に基づいて、左眼画像Ｌおよび右眼画像Ｒの表示タイミング、周波数や信号フォーマット等を判別する。同期信号処理部１２３は、解像度判別部１３１で得られる判別信号をＣＰＵ１０４に通知する。
【００４２】
スイッチ部１３２は、ＣＰＵ１０４の制御のもと、内部同期信号または外部同期信号を選択的に取り出し、基準同期信号として出力する。今後、スイッチ部１３２が、内部同期信号を基準同期信号として選択する処理を“マスター同期処理”、外部同期信号を基準同期信号として選択する処理を“スレーブ同期処理”と呼ぶことにする。スイッチ部１３２は、マスター同期処理を行う場合にはａ側に接続され、内部同期信号を基準同期信号として出力する。また、スイッチ部１３２は、スレーブ同期処理を行う場合にはｂ側に接続され、外部同期信号を基準同期信号として、基準同期信号調整部１３３へ出力する。
【００４３】
基準同期信号調整部１３３は、ＣＰＵ１０４の制御のもと、解像度判別部１３１で得られる判別信号により、基準同期信号がディスプレイ１０１で表示可能な、表示タイミング、周波数や信号フォーマットである場合は、スルーして出力する。基準同期信号が、ディスプレイ１０１で表示可能な、表示タイミング、周波数や信号フォーマットでない場合は、ディスプレイ１０１で表示可能な、表示タイミング、周波数や信号フォーマットになるように、基準同期信号調整部１３３は、ＣＰＵ１０４の制御のもと、基準同期信号を調整して、出力する。
【００４４】
ＣＰＵ１０４は、解像度判別部１３１で得られる判別信号、ユーザの処理モード設定、外部同期信号の取得の有無などに基づいて、スイッチ部１３２の同期処理の選択を、マスター同期処理またはスレーブ同期処理に決定する。ＣＰＵ１０４におけるスイッチ部１３２の同期選択処理の決定動作については、後述する。
【００４５】
動作クロック信号生成部１２４は、同期信号処理部１２３から出力される基準同期信号の位相に同期した動作クロック信号を生成する。画像処理部１１４、フレームシンクロナイザ１１５、画像駆動部１１６などは、基準同期信号および動作クロック信号に基づいて動作する。そのため、ディスプレイ１０１への左眼画像信号Ｌおよび右眼画像信号Ｒの表示タイミングは基準同期信号に同期したものとなる。
【００４６】
また、上述した同期信号出力制御部１２１も、基準同期信号および動作クロック信号に基づいて動作する。そのため、同期信号出力制御部１２１は、上述したように、左眼画像Ｌおよび右眼画像Ｒの表示タイミングや信号フォーマット等を示す同期信号（赤外線信号）を出力するように、赤外線発光部１０２を駆動できる。
【００４７】
［ＣＰＵの処理モード決定動作］
次に、ＣＰＵ１０４の処理モード決定動作及び、スイッチ部１３２の同期選択処理の決定動作について説明する。図５のフローチャートは、ＣＰＵ１０４の処理モード決定動作及び、スイッチ部１３２の同期選択処理の決定動作の処理手順を示している。
【００４８】
まず、ＣＰＵ１０４は、ステップＳＴ１において、例えば、電源オンのタイミングで、処理を開始する。その後、ＣＰＵ１０４は、ステップＳＴ２において、外部同期制御部１２２で外部同期信号が取得されたか否かを判断する。ステップＳＴ１からステップＳＴ２に遷移した時に、外部同期信号が取得されたか否かどうか（電源オン時の外部同期信号の取得状態）は、ＤＲＡＭ１０６に保存する。ステップＳＴ２において、外部同期信号が取得されていないとき、ＣＰＵ１０４は、ステップＳＴ３において、マスター同期処理に決定する。
【００４９】
ＣＰＵ１０４は、ステップＳＴ３の処理の後、ステップＳＴ４において、電源オフか否かを判断する。電源オフのとき、ＣＰＵ１０４は、ステップＳＴ５において、処理を終了する。一方、電源オフでないとき、ＣＰＵ１０４は、ステップＳＴ２の処理に戻る。
【００５０】
ステップＳＴ２で外部同期信号が取得されているとき、ＣＰＵ１０４は、ステップＳＴ６の処理に移る。このステップＳＴ６において、ＣＰＵ１０４は、ユーザにより設定される処理モードが変更されたか否かを判断する。
【００５１】
ユーザは、処理モードとして、マスターモード、スレーブモード、オートモードまたはマニュアルモードを選択的に設定できる。ユーザが処理モードの設定（変更）を行う際、例えば、ディスプレイ１０１には、図６に示すように、各選択肢に対応してラジオボタン（radio button）が設けられた設定用のＵＩ画面（３Ｄ同期設定メニュー）が表示される。ユーザは、このＵＩ画面を利用して、処理モードの設定（変更）を、簡単に行うことができる。
【００５２】
図５のフローチャートに戻る。ステップＳＴ６で処理モードが変更されていないとき、ＣＰＵ１０４は、ステップＳＴ７において、ユーザにより設定された処理モードに基づいて決定された、マスター同期処理またはスレーブ同期処理の状態をそのまま維持し、その後、ステップＳＴ４の処理に移る。
【００５３】
ステップＳＴ６でユーザにより処理モードが変更されたとき、ＣＰＵ１０４は、ステップＳＴ８の処理に移る。このステップＳＴ８において、ＣＰＵ１０４は、設定処理モードがマスターモードであるか否かを判断する。マスターモードであるとき、ＣＰＵ１０４は、ステップＳＴ３において、マスター同期処理に決定し、その後に、ステップＳＴ４の処理に移る。
【００５４】
また、ステップＳＴ８でマスターモードに変更されていないとき、ＣＰＵ１０４は、ステップＳＴ９の処理に移る。このステップＳＴ９において、ＣＰＵ１０４は、設定処理モードがマニュアルモード、オートモード、またはスレーブモードのいずれであるか判断する。
【００５５】
マニュアルモードであるとき、ＣＰＵ１０４は、ステップＳＴ１０のマニュアルモードのサブルーチン処理に移る。図７は、このステップＳＴ１０のサブルーチン処理を示している。
【００５６】
まず、ＣＰＵ１０４は、ステップＳＴ２１において、処理を開始し、その後に、ステップＳＴ２２の処理に移る。このステップＳＴ２２において、ＣＰＵ１０４は、ディスプレイ１０１に、図８に示すように、各選択肢に対応してラジオボタンが設けられた、同期信号選択用のＵＩ画面を表示する。ユーザは、このＵＩ画面を利用して、マスター同期処理またはスレーブ同期処理の選択を、簡単に行うことができる。
【００５７】
次に、ＣＰＵ１０４は、ステップＳＴ２３において、スレーブ同期処理が選択されたか否かを判断する。スレーブ同期処理が選択されたとき、ＣＰＵ１０４は、ステップＳＴ２４において、スレーブ同期処理に決定する。その後、ＣＰＵ１０４は、ステップＳＴ２５において、同期信号選択用のＵＩ画面の表示を閉じ、ステップＳＴ２６において、リターンする。
【００５８】
一方、ステップＳＴ２３でスレーブ同期処理が選択されないとき、つまり、マスター同期処理が選択されたとき、ＣＰＵ１０４は、ステップＳＴ２７において、マスター同期処理に決定する。その後、ＣＰＵ１０４は、ステップＳＴ２５において、同期信号選択用のＵＩ画面の表示を閉じ、ステップＳＴ２６において、リターンする。
【００５９】
図５のフローチャートに戻って、ステップＳＴ９でオートモードであるとき、ＣＰＵ１０４は、ステップＳＴ１１のオートモードのサブルーチン処理に移る。図９は、このステップＳＴ１１のサブルーチン処理を示している。
【００６０】
まず、ＣＰＵ１０４は、ステップＳＴ３１において、処理を開始し、その後に、ステップＳＴ３２の処理に移る。このステップＳＴ３２において、ＣＰＵ１０４は、同期信号処理部１２３の解像度判別部１３１で得られる判別信号に基づいて、内部同期信号に基づく左眼画像Ｌおよび右眼画像Ｒの表示タイミング、周波数や信号フォーマットと比較して、外部同期信号に基づく左眼画像Ｌおよび右眼画像Ｒの表示タイミング、周波数や信号フォーマットが高速か否か、または同じかを判断する。例えば、内部同期信号に基づく左眼画像Ｌおよび右眼画像Ｒの表示タイミングとして、フレームレートが６０フレーム/秒であり、外部同期信号に基づく左眼画像Ｌおよび右眼画像Ｒの表示タイミングが２４0フレーム/秒の場合、ＣＰＵ１０４は、外部同期信号が内部同期信号より高速と判断する。
【００６１】
内部同期信号と比較して外部同期信号が高速であるとき、ＣＰＵ１０４は、ステップＳＴ３２からステップＳＴ３３へ遷移して、ステップＳＴ３３において、スレーブ同期処理に決定し、その後に、ステップＳＴ３４において、リターンする。一方、このステップＳＴ３２において、外部同期信号と内部同期信号で、それぞれの左眼画像Ｌおよび右眼画像Ｒの表示タイミング、周波数や信号フォーマットが同じと判断された場合は、例えば、ＤＲＡＭ１０６に保存された電源オン時の外部同期信号の取得状態に応じて、決定する。
【００６２】
この場合、ステップＳＴ１からステップＳＴ２の遷移した際、電源オン時には外部同期信号が取得されていない場合は、ステップＳＴ３２からステップＳＴ３５へ遷移して、ステップＳＴ３５において、マスター同期処理に決定し、その後に、ステップＳＴ３４において、リターンする。電源オン時には外部同期信号が取得されている場合は、ステップＳＴ３２からステップＳＴ３３へ遷移して、ステップＳＴ３３において、スレーブ同期処理に決定し、その後に、ステップＳＴ３４において、リターンする。また、このステップＳＴ３２において、内部同期信号と比較して外部同期信号が低速であるとき、ＣＰＵ１０４は、ステップＳＴ３５において、マスター同期処理に決定し、その後に、ステップＳＴ３４において、リターンする。
【００６３】
図５のフローチャートに戻って、ステップＳＴ９でスレーブモードであるとき、ステップＳＴ１２において、スレーブモード処理として、スレーブ同期処理を決定し、その後に、ステップＳＴ４の処理に移る。
【００６４】
上述したようにして、ユーザの設定した処理モードや、スイッチ部１３２の同期選択処理として、マスター同期処理またはスレーブ同期処理が決定される。
【００６５】
［テレビ受信機の動作］
図３に示すテレビ受信機１００の動作を説明する。アンテナ端子１１１に入力されたテレビ放送信号はデジタルチューナ１１２に供給される。このデジタルチューナ１１２では、テレビ放送信号が処理されて、ユーザの選択チャネルに対応した所定のビットストリームデータが得られる。
【００６６】
デジタルチューナ１１２から出力されるビットストリームデータは、ビットストリーム処理部１１３に供給される。このビットストリーム処理部１１３では、ビットストリームデータから画像データ（左眼画像データ、右眼画像データ）、音声データなどが抽出される出力される。また、このビットストリーム処理部１１３から内部同期信号が出力される。
【００６７】
ビットストリーム処理部１１３から出力される画像データは、画像処理部１１４に供給される。この画像処理部１１４では、ビットストリーム処理部１１３からの画像データに対して、同期信号処理部１２３で得られる判別信号と基準同期信号に基づいて、同期信号処理部１２３から出力される基準同期信号に基づく左眼画像Ｌおよび右眼画像Ｒの表示タイミングと同じタイミング周波数になるように、時間方向のスケーリング処理、フレームレート変換やＩ／Ｐ変換などの信号フォーマット変換が行われる。
【００６８】
例えば、同期信号処理部１２３で得られる判別信号と基準同期信号に基づいて、ビットストリーム処理部１１３からの画像データのフレームレートが６０フレーム/秒であり、同期信号処理部１２３から出力される基準同期信号に基づくフレームレートが１２０フレーム/秒であるとする。その場合、画像処理部１１４では、画像データに対して、フレームレートを６０フレーム/秒から１２０フレーム/秒へのフレームレート変換処理（フォーマット変換処理）が行われる。
【００６９】
このように信号フォーマット変換処理が施された画像データは、フレームシンクロナイザ１１５に供給される。フレームシンクロナイザ１１５では、信号フォーマット変換処理が施された画像データを基準同期信号に基づく左眼画像および右眼画像の表示タイミングに同期させて、出力すること、が行われる。このように画像データを基準同期信号に同期させて出力することは、例えば、特開２００４−２３１３４号公報等に記載されている。フレームシンクロナイザ１１５から出力される各フレーム画像データ（左眼画像データ、右眼画像データ）は画像駆動部１１６に供給される。
【００７０】
ディスプレイ１０１は、画像駆動部１１６により、フレームシンクロナイザ１１５からの各フレーム画像データ（左眼画像データ、右眼画像データ）に基づいて、駆動される。そのため、ディスプレイ１０１は、視差のある左眼画像Ｌおよび右眼画像Ｒが交互に表示される。
【００７１】
また、赤外線（ＩＲ）受光部１０３では、外部同期信号（赤外線信号）を受信される。このように赤外線受光部１０３で受信される外部同期信号は、外部同期制御部１２２に供給される。ＣＰＵ１０４では、解像度判別部１３１で得られる判別信号、ユーザの処理モード設定、外部同期信号の取得の有無などに基づいて、スイッチ部１３２の同期処理の選択を、マスター同期処理またはスレーブ同期処理に決定される。（図５参照）。
【００７２】
スレーブ同期処理の場合、同期信号処理部１２３（図４参照）のスイッチ部１３２はｂ側に接続され、基準同期信号として外部同期信号が得られる。動作クロック信号生成部１２４では、外部同期信号の位相に同期した動作クロック信号が生成される。
【００７３】
そのため、画像処理部１１４、フレームシンクロナイザ１１５、画像駆動部１１６などは、外部同期信号およびその位相に同期した動作クロック信号に基づいて動作が行われる。そのため、ディスプレイ１０１への左眼画像信号Ｌおよび右眼画像信号Ｒの表示タイミングは、外部同期信号に同期したものとなる。
【００７４】
また、マスター同期処理の場合、同期信号処理部１２３（図４参照）のスイッチ部１３２はａ側に接続され、基準同期信号として内部同期信号が得られる。動作クロック信号生成部１２４では、内部同期信号の位相に同期した動作クロック信号が生成される。
【００７５】
そのため、画像処理部１１４、フレームシンクロナイザ１１５、画像駆動部１１６などは、内部同期信号およびその位相に同期した動作クロック信号に基づいて動作が行われる。そのため、ディスプレイ１０１への左眼画像信号Ｌおよび右眼画像信号Ｒの表示タイミングは、内部同期信号に同期したものとなる。なお、このマスターモード処理の場合、フレームシンクロナイザ１１５へ入力される画像データが既に内部同期信号に同期している時、省電力のため、フレームシンクロナイザ１１５の機能はオフしてもよい。
【００７６】
また、同期信号出力制御部１２１に、基準同期信号および動作クロック信号が供給される。そのため、同期信号出力制御部１２１から赤外線（ＩＲ）発光部１０２に、ディスプレイ１０１に表示される左眼画像Ｌおよび右眼画像Ｒの表示タイミングを示すタイミング信号や基準同期信号の信号フォーマットに基づいて、駆動信号が供給される。そのため、赤外線発光部１０２からは、左眼画像Ｌおよび右眼画像Ｒの表示タイミングや信号フォーマットを示す同期信号が、赤外線信号として、出力される。
【００７７】
なお、スレーブ同期処理が行われている状態で、例えば外部の画像表示装置の電源がオフとされて、赤外線受光部１０３で外部同期信号が取得されなくなるときは、設定処理モードがいずれにあっても、マスター同期処理が行われるようになる（図５参照）。
【００７８】
［パーソナルコンピュータの構成］
パーソナルコンピュータ２００の構成例について説明する。図１０は、パーソナルコンピュータ２００の構成例を示している。このパーソナルコンピュータ２００は、ディスプレイ２０１と、赤外線（ＩＲ）発光部２０２と、赤外線（ＩＲ）受光部２０３と、ＣＰＵ２０４と、フラッシュＲＯＭ２０５と、ＤＲＡＭ２０６を有している。また、このパーソナルコンピュータ２００は、ネットワーク端子２２６と、イーサネットインタフェース２２７と、ＢＤ／ＤＶＤドライブ２２８を有している。なお、「イーサネット」は登録商標である。
【００７９】
また、このパーソナルコンピュータ２００は、ビットストリーム処理部２１３と、画像処理部２１４と、フレームシンクロナイザ２１５と、画像駆動部２１６を有している。また、このパーソナルコンピュータ２００は、同期信号出力制御部２２１と、外部同期制御部２２２と、同期信号処理部２２３と、動作クロック信号生成部２２４と、Ｕ／Ｉ制御部２２５を有している。このパーソナルコンピュータ２００を構成する、上述した個々のブロックは、バスを介して、相互に接続されている。
【００８０】
ここで、ディスプレイ２０１は、画像表示部を構成している。また、画像処理部２１４、フレームシンクロナイザ２１５および画像駆動部２１６は、表示制御部を構成している。また、同期信号出力制御部２２１および赤外線（ＩＲ）発光部２０２は、同期信号送信部を構成している。また、赤外線（ＩＲ）受光部２０３および外部同期制御部２２２は、同期信号受信部を構成している。また、同期信号処理部２２３およびＣＰＵ２０４は、同期信号選択部を構成している。
【００８１】
ＣＰＵ２０４は、パーソナルコンピュータ２００の各部の動作を制御する。フラッシュＲＯＭ２０５は、制御ソフトウェアの格納およびデータの保管を行う。ＤＲＡＭ２０６は、ＣＰＵ２０４のワークエリアを構成する。ＣＰＵ２０４は、フラッシュＲＯＭ２０５から読み出したソフトウェアやデータをＤＲＡＭ２０６上に展開してソフトウェアを起動させ、パーソナルコンピュータ２００の各部の制御、各種演算処理、各種アプリケーションの実行を制御する。
【００８２】
イーサネットインタフェース２２７は、ネットワーク端子２２６を介して、インターネット等の図示しないネットワークに接続される。イーサネットインタフェース２２７は、ユーザ操作に応じて、ネットワークに接続されている図示しないコンテンツサーバから、ユーザの選択コンテンツに対応した配信データ（ビットストリームデータ）を受信する。
【００８３】
ＢＤ／ＤＶＤドライブ２２８は、ユーザの操作に応じて、装着されたＢＤあるいはＤＶＤ等のディスクの再生を行って、再生データ（ビットストリームデータ）を出力する。
【００８４】
ビットストリーム処理部２１３は、上述の配信データあるいは再生データから、画像データ（左眼画像データ、右眼画像データ）と音声データを抽出して出力する。また、ビットストリーム処理部２１３は、内部同期信号を出力する。Ｕ／Ｉ制御部２２５は、キーボード、マウス等をユーザが操作することにより入力される操作信号を受信し、この操作信号を、バスを介して、ＣＰＵ２０４に供給する。
【００８５】
詳細説明は省略するが、このパーソナルコンピュータ２００のその他は、テレビ受信機１００の対応する部分と同様に構成され、同様の動作をする。なお、同期信号処理部２２３は、図４にかっこで括って符号を付しているが、テレビ受信機１００の同期信号処理部１２３と同様に、解像度判別部２３１、スイッチ部２３２および基準同期信号調整部２３３を有している。
【００８６】
ＣＰＵ２０４では、テレビ受信機１００のＣＰＵ１０４と同様に、同期信号処理部２２３の解像度判別部２３１で得られる判別信号、ユーザの処理モード設定、外部同期信号の取得の有無などに基づいて、同期信号処理部２２３のスイッチ部２３２の同期処理の選択が、マスター同期処理またはスレーブ同期処理に決定される（図５参照）。
【００８７】
スレーブ同期処理の場合、同期信号処理部２２３のスイッチ部２３２はｂ側に接続され、基準同期信号として外部同期信号が得られ、基準同期信号調整部２３３へ出力する。基準同期信号調整部２３３は、ＣＰＵ２０４の制御のもと、解像度判別部２３１で得られる判別信号により、基準同期信号がディスプレイ２０１で表示可能な、表示タイミング、周波数や信号フォーマットである場合は、スルーして出力する。また、この基準同期信号調整部２３３は、この基準同期信号が、ディスプレイ２０１で表示可能な、表示タイミング、周波数や信号フォーマットでない場合は、ディスプレイ２０１で表示可能な、表示タイミング、周波数や信号フォーマットになるように調整して、出力する。ＣＰＵ２０４における基準同期信号調整部２３３の動作処理については、後述する。動作クロック信号生成部２２４では、外部同期信号の位相に同期した動作クロック信号が生成される。
【００８８】
そのため、画像処理部２１４、フレームシンクロナイザ２１５、画像駆動部２１６などは、外部同期信号およびその位相に同期した動作クロック信号に基づいて動作が行われる。そのため、ディスプレイ２０１への左眼画像信号Ｌおよび右眼画像信号Ｒの表示タイミングは、外部同期信号に同期したものとなる。
【００８９】
また、マスター同期処理の場合、同期信号処理部２２３（図４参照）のスイッチ部はａ側に接続され、基準同期信号として内部同期信号が得られる。動作クロック信号生成部２２４では、内部同期信号の位相に同期した動作クロック信号が生成される。
【００９０】
そのため、画像処理部２１４、フレームシンクロナイザ２１５、画像駆動部２１６などは、内部同期信号およびその位相に同期した動作クロック信号に基づいて動作が行われる。そのため、ディスプレイ２０１への左眼画像信号Ｌおよび右眼画像信号Ｒの表示タイミングは、内部同期信号に同期したものとなる。なお、このマスターモード処理の場合、フレームシンクロナイザ２１５へ入力される画像データが内部同期信号に同期している時、省電力のため、フレームシンクロナイザ２１５の機能はオフしてもよい。
【００９１】
また、同期信号出力制御部２２１に、基準同期信号および動作クロック信号が供給される。そのため、同期信号出力制御部２２１から赤外線（ＩＲ）発光部２０２に、ディスプレイ２０１に表示される左眼画像Ｌおよび右眼画像Ｒの表示タイミングを示すタイミング信号や基準同期信号の信号フォーマットに基づいて、駆動信号が供給される。そのため、赤外線発光部２０２からは、左眼画像Ｌおよび右眼画像Ｒの表示タイミングや信号フォーマットを示す同期信号が、赤外線信号として、出力される。
【００９２】
［シャッターメガネの構成］
シャッターメガネ３００について説明する。図１１は、シャッターメガネ３００の構成例を示している。このシャッターメガネ３００は、左眼シャッター３００Ｌおよび右眼シャッター３００Ｒを含むメガネ部３０１と、赤外線受光部３０２と、シャッター駆動部３０３を有している。
【００９３】
赤外線受光部３０２は、例えば、テレビ受信機１００またはパーソナルコンピュータ２００から送信される、左眼画像Ｌおよび右眼画像Ｒの表示タイミングを示す同期信号（赤外線信号）をシャッター制御信号Ｃshとして受信する。シャッター駆動部３０３は、赤外線受光部３０２で受信されたシャッター制御信号Ｃshに基づいて、メガネ部３０１の左眼シャッター３００Ｌおよび右眼シャッター３００Ｒを駆動する。
【００９４】
すなわち、シャッター駆動部３０３は、ディスプレイ１０１，２０１に左眼画像Ｌが表示されるタイミングで、左眼シャッター３００Ｌを開く。また、シャッター駆動部３０３は、ディスプレイ１０１，２０１に右眼画像Ｒが表示されるタイミングで、右眼シャッター３００Ｒを開く。
【００９５】
シャッターメガネ３００の動作を説明する。赤外線受光部３０２では、例えば、テレビ受信機１００またはパーソナルコンピュータ２００から送られてくる、左眼画像および右眼画像の表示タイミングを示す同期信号（赤外線信号）がシャッター制御信号Ｃshとして受信される。このシャッター制御信号Ｃshは、シャッター駆動部３０３に供給される。
【００９６】
シャッター駆動部３０３では、シャッター制御信号Ｃshに基づいて、メガネ部３０１を構成する左眼シャッター３００Ｌおよび右眼液晶シャッター３００Ｒを駆動することが行われる。この場合、ディスプレイ１０１，２０１に左眼画像Ｌが表示されるタイミングで、左眼シャッター３００Ｌが開かれる。また、ディスプレイ１０１，２０１に右眼画像Ｒが表示されるタイミングで、右眼シャッター３００Ｒが開かれる。
【００９７】
このようにシャッターメガネ３００が動作することで、このシャッターメガネ３００を装着した観視者は、左眼で左眼画像（カラー画像）Ｌのみの知覚が可能となり、右眼で右眼画像（カラー画像）Ｒのみの知覚が可能となる（図２参照）。そのため、観視者は、視差を有する左眼画像Ｌおよび右眼画像Ｒに基づいて、カラーの立体画像を認識可能となる。
【００９８】
上述したように、図１に示す画像表示観察システム１０を構成するテレビ受信機１００およびパーソナルコンピュータ２００において、ユーザは、マスターモード、スレーブモード、オートモードまたはマニュアルモードの処理モードを選択的に設定できる。
【００９９】
例えば、テレビ受信機１００およびパーソナルコンピュータ２００は、双方とも、ユーザの選択により、オートモードに設定されるとする。その場合、例えば、テレビ受信機１００が、パーソナルコンピュータ２００より電源オンが早い場合、電源オン時にパーソナルコンピュータ２００からの外部同期信号が取得されていないので、マスター同期処理を行うように決定される（図５参照）。その後に、パーソナルコンピュータ２００が電源オンし、パーソナルコンピュータ２００からの外部同期信号が取得された場合、その外部同期信号の周波数が内部同期信号の周波数よりも低速の場合には、マスター同期処理を行うように決定される（図９参照）。
【０１００】
一方、パーソナルコンピュータ２００は、テレビ受信機１００からの外部同期信号が取得された場合、その外部同期信号の周波数がパーソナルコンピュータ２００の内部同期信号の周波数よりも高速の場合は、スレーブ同期処理を行うように決定される（図９参照）。そのため、テレビ受信機１００がマスター同期処理を行う場合、パーソナルコンピュータ２００はスレーブ同期処理を行う。逆に、パーソナルコンピュータ２００からの外部同期信号の周波数が、テレビ受信機１００の内部同期信号の周波数よりも高速の場合には、図５および図９のフローチャートに従い、テレビ受信機１００はスレーブ同期処理を行い、パーソナルコンピュータ２００はマスター同期処理を行う。
【０１０１】
スレーブ同期処理の場合、上述したように、外部同期信号およびその位相に同期した動作クロック信号に基づいて動作が行われる。そのため、ディスプレイ１０１，２０１への左眼画像信号Ｌおよび右眼画像信号Ｒの表示タイミングは、外部同期信号に同期したものとなる。逆に、マスター同期処理の場合、上述したように、内部同期信号およびその位相に同期した動作クロック信号に基づいて動作が行われる。そのため、ディスプレイ１０１，２０１への左眼画像信号Ｌおよび右眼画像信号Ｒの表示タイミングは、内部同期信号に同期したものとなる。
【０１０２】
したがって、テレビ受信機１００のディスプレイ１０１とパーソナルコンピュータ２００のディスプレイ２０１に表示される左眼画像Ｌおよび右眼画像Ｒの表示タイミングの同期が図られる。そのため、１つのシャッターメガネ３００でテレビ受信機１００およびパーソナルコンピュータ２００で提示される立体画像を観視することが可能となる。
【０１０３】
なお、テレビ受信機１００およびパーソナルコンピュータ２００をオートモードに設定することで、各機器においては自動的にマスター同期処理を行うかスレーブ同期処理を行うかが決定され、ユーザの選択操作の手間を省くことができる。
【０１０４】
また、例えば、テレビ受信機１００およびパーソナルコンピュータ２００は、双方とも、ユーザの選択操作により、マニュアルモードに設定される。その場合、その後のユーザの選択操作により、例えば、テレビ受信機１００がマスター同期処理を行うように決定される場合、パーソナルコンピュータ２００はスレーブ同期処理を行うように決定される。逆に、ユーザの選択操作により、例えば、テレビ受信機１００がスレーブ同期処理を行うように決定される場合、パーソナルコンピュータ２００はマスター同期処理を行うように決定される。
【０１０５】
したがって、この場合にも、ユーザの選択操作により、テレビ受信機１００のディスプレイ１０１とパーソナルコンピュータ２００のディスプレイ２０１に表示される左眼画像Ｌおよび右眼画像Ｒの表示タイミングの同期が図られる。そのため、１つのシャッターメガネ３００でテレビ受信機１００およびパーソナルコンピュータ２００で提示される立体画像を観視することが可能となる。
【０１０６】
なお、テレビ受信機１００およびパーソナルコンピュータ２００をマニュアルモードに設定することで、各機器において、ユーザは、マスター同期処理を行わせるかスレーブ同期処理を行わせるかを、任意に選択できる。
【０１０７】
また、例えば、ユーザの選択操作により、テレビ受信機１００がマスターモードに設定され、パーソナルコンピュータ２００はスレーブモードに設定されたとする。この場合、テレビ受信機１００はマスター同期処理を行うように決定され、パーソナルコンピュータ２００はスレーブ同期処理を行うように決定される。
【０１０８】
したがって、この場合にも、テレビ受信機１００のディスプレイ１０１とパーソナルコンピュータ２００のディスプレイ２０１に表示される左眼画像Ｌおよび右眼画像Ｒの表示タイミングの同期が図られる。そのため、１つのシャッターメガネ３００でテレビ受信機１００およびパーソナルコンピュータ２００で提示される立体画像を観視することが可能となる。
【０１０９】
さらに、例えば、ユーザの選択操作により、テレビ受信機１００がスレーブモードに設定され、パーソナルコンピュータ２００はマスターモードに設定されたとする。この場合、テレビ受信機１００はスレーブ同期処理を行うように決定され、パーソナルコンピュータ２００はマスター同期処理を行うように決定される。
【０１１０】
したがって、この場合にも、テレビ受信機１００のディスプレイ１０１とパーソナルコンピュータ２００のディスプレイ２０１に表示される左眼画像Ｌおよび右眼画像Ｒの表示タイミングの同期が図られる。そのため、１つのシャッターメガネ３００でテレビ受信機１００およびパーソナルコンピュータ２００で提示される立体画像を観視することが可能となる。
【０１１１】
上述したように、処理モードとして、マスターモード、スレーブモード、オートモードまたはマニュアルモードの選択肢が、ユーザに提供されているので、ユーザは、所望のモードを選択し、ユーザの都合に合わせて、１つのシャッターメガネ３００でテレビ受信機１００およびパーソナルコンピュータ２００で提示される立体画像を観視することが可能となる。
【０１１２】
＜２．変形例１＞
なお、上述実施の形態において、テレビ受信機１００は、マスター同期処理、スレーブ同期処理のいずれを行うかによらず、赤外線発光部１０２から、左眼画像Ｌおよび右眼画像Ｒの表示タイミングを示す同期信号（赤外線信号）を出力する。パーソナルコンピュータ２００も、同様である。
【０１１３】
しかし、各画像表示装置を、例えば、スレーブ同期処理を行う場合には、赤外線発光部１０２，２０２からの、左眼画像Ｌおよび右眼画像Ｒの表示タイミングを示す同期信号（赤外線信号）の出力を停止するに構成してもよい。この場合、シャッターメガネ３００は、マスター同期処理を行う画像表示装置から送信される同期信号のみを受信してシャッター動作を行うことができる。そのため、複数の機器から送信される同期信号を受信することによる誤動作を回避できる。
【０１１４】
また、上述実施の形態において、テレビ受信機１００およびパーソナルコンピュータ２００の２つの画像表示装置からなる画像表示観察システム１０を示した。しかし、この発明は、３つ以上の画像表示装置からなる画像表示観察システムにも同様に適用できる。この場合、例えば、ユーザの選択により、ある１つの画像表示装置がマスター同期処理を行うように決定され、その他の画像表示装置はスレーブ同期処理を行うように決定される。
【０１１５】
また、この発明は、上述した実施の形態に限定されるものでなく、この発明の要旨を逸脱しない範囲内で様々な変形や応用が可能である。例えば、テレビ受信機１００やパーソナルコンピュータ２００に限らず、携帯電話、ゲーム機器、カーナビゲーション、デジタルフォトスタンド、電子ブックなど、幅広いＡＶ（Ａｕｄｉｏ／Ｖｉｄｅｏ）機器や電子機器でもよい。
【０１１６】
また、上述の図１の画像表示観察システム１０では、テレビ受信機１００は、赤外線（ＩＲ）発光部１０２と、赤外線（ＩＲ）受光部１０３とを備え、パーソナルコンピュータ２００は、赤外線（ＩＲ）発光部２０２と、赤外線（ＩＲ）受光部２０３とを備え、シャッターメガネ３００は、赤外線受光部３０２を備えることにより、赤外線による通信方式の構成例が記述されている。ただし、通信方式として、例えば、２．４ＧＨｚ帯のＩＳＭ（Industrial, Scientific and Medical use）バンドの無線通信方式など、無線を利用した通信方式を適用することもできる。
【０１１７】
図１２は、無線通信方式を使用した画像表示観察システム１０Ａの構成例を示している。この図１２において、図１と対応する部分には同一符号を付して示している。この図１２の画像表示観察システム１０Ａにおいては、図１の画像表示観察システム１０における、赤外線（ＩＲ）発光部１０２および赤外線（ＩＲ）受光部１０３を有するテレビ受信機１００が、無線送信部１２６および無線受信部１２７を有するテレビ受信機１００Ａに置き換えられている。また、この図１２の画像表示観察システム１０Ａにおいては、図１の画像表示観察システム１０における、赤外線（ＩＲ）発光部２０２および赤外線（ＩＲ）受光部２０３を有するパーソナルコンピュータ２００が、無線送信部２２６および無線受信部２２７を有するパーソナルコンピュータ２００Ａに置き換えられている。
【０１１８】
また、この図１２の画像表示観察システム１０Ａにおいては、図１の画像表示観察システム１０におけるシャッターメガネ３００が、シャッターメガネ３００Ａに置き換えられている。図１３は、無線通信方式を使用したシャッターメガネ３００Ａの構成例を示している。この図１３において、図１１と対応する部分には同一符号を付して示している。この図１３のシャッターメガネ３００Ａにおいては、図１１のシャッターメガネ３００における赤外線（ＩＲ）受光部３０２が、無線受信部３０４に置き換えられている。
【０１１９】
なお、画像表示観察システムとしては、上述した赤外線（ＩＲ）通信方式、あるいは上述した無線通信方式の一方のみを利用するものだけではなく、各機器がこれらの２つの通信方式の機能を備え、適宜、切り替えて使用する構成も考えられる。このように２つの通信方式を切り替えて使用することは、例えば、特開２００９−６５２４１号公報等に記載されている。
【０１２０】
＜３．変形例２＞
なお、上述実施の形態において、テレビ受信機１００とパーソナルコンピュータ２００で、ディスプレイの表示能力が同じとは限らない。例えば、テレビ受信機１００の表示できる最大フレームレートが２４０フレーム／秒で、パーソナルコンピュータ２００の表示できる最大フレームレートが１２０フレーム／秒とする。
【０１２１】
各々のユーザ設定により、テレビ受信機１００はマスターモードに設定されて、マスター同期処理に決定され、パーソナルコンピュータ２００はスレーブモードに設定されて、スレーブ同期処理に決定されているとする。テレビ受信機１００で、ディスプレイ１０１に表示される左眼画像データと右眼画像データ、およびその基準同期信号のタイミングの一例を、図１４に示す。
【０１２２】
画像データＡは、ディスプレイ１０１に表示される左眼画像データＡと右眼画像データＡで構成されている。基準同期信号Ａは、同期タイミング（フレームレート等）や信号フォーマットを示す同期信号Ａと、ディスプレイ１０１へ左眼画像データを表示するタイミングを制御する左眼画像表示信号Ａと、ディスプレイ１０１へ右眼画像データを表示するタイミングを制御する右眼画像表示信号Ａで構成されている。
【０１２３】
この場合、同期信号Ａは、フレームレートが２４０フレーム／秒であり、この同期信号Ａと左眼画像表示信号Ａに基づくタイミングで、画像駆動部１１６は、ディスプレイ１０１に左眼画像データＡを表示し、同期信号Ａと右眼画像表示信号Ａに基づくタイミングで、画像駆動部１１６は、ディスプレイ１０１に右眼画像データＡを表示する。また同期信号出力制御部１２１は、ＩＲ発光部１０２を介して、基準同期信号Ａに基づいた赤外線信号を出力する。
【０１２４】
テレビ受信機１００のＩＲ発光部１０２から出力される基準同期信号Ａ（２４０フレーム／秒）に基づいた赤外線信号が、パーソナルコンピュータ２００のＩＲ受光部２０３と外部同期制御部２２２で受信されると、外部同期信号として、同期信号処理部２２３の解像度判別部２３１とスイッチ部２３２へ入力される。解像度判別部２３１による外部同期信号の判別により、その判別信号は、ＣＰＵ２０４へ通知され、ＣＰＵ２０４は、外部同期信号が２４０フレーム／秒であることを検知する。
【０１２５】
パーソナルコンピュータ２００はスレーブ同期処理に設定されているが、外部同期信号がパーソナルコンピュータ２００の表示できる最大フレームレートをオーバーしているため、同期信号処理部２２３に設けられた基準同期信号調整部２３３で、外部同期信号から、パーソナルコンピュータ２００で表示可能な基準同期信号を生成する。例えば、基準同期信号調整部２３３で生成される基準同期信号の一例を、図１４の基準同期信号Ｂに示す。
【０１２６】
基準同期信号調整部２３３で、外部同期信号から基準同期信号Ｂを生成する、タイミングチャートの一例を、図１５に示す。まず、基準同期信号調整部２３３では、外部同期信号（図１５(a)）から、同期信号Ａ（図１５(b)）と外部画像表示信号Ａ（図１５(c)）を分離する。基準同期信号調整部２３３は、分離された同期信号Ａ（図１５(b)）から、分周などの処理を施して、フレームレートが１２０フレーム／秒で、同期信号Ａに同期した同期信号Ｂ（図１５(d)）を生成する。
【０１２７】
また、分離された外部画像表示信号Ａ（図１５(c)）から、同期信号Ｂに同期し、かつ、その同期信号の１周期区間に、左眼画像表示信号Ｂ、または、右眼画像表示信号Ｂが挿入された画像表示信号Ｂ（図１５(e)）を生成する。基準同期信号調整部２３３は、同期信号Ｂ（図１５(d)）と画像表示信号Ｂ（図１５(e)）を合成し、基準同期信号Ｂ（図１５(ｆ)）を生成して、出力する。その後、基準同期信号Ｂは、パーソナルコンピュータ２００の基準同期信号として、利用される。
【０１２８】
動作クロック信号生成部２２４では、基準同期信号Ｂの位相に同期した動作クロック信号が生成される。そのため、画像処理部２１４、フレームシンクロナイザ２１５、画像駆動部２１６などは、基準同期信号Ｂおよびその位相に同期した動作クロック信号に基づいて動作が行われる。そのため、ディスプレイ２０１への左眼画像（図１４の左眼画像データＢ）および右眼画像（図１４の右眼画像データＢ）の表示タイミングは、基準同期信号Ｂに同期したものとなる。
【０１２９】
つまり、ディスプレイ２０１では、基準同期信号Ｂの左眼画像表示信号Ｂの表示タイミングに基づいて、左眼画像データＢが表示され、基準同期信号Ｂの右眼画像表示信号Ｂの表示タイミングに基づいて、右眼画像データＢが表示される。なお、外部同期信号と基準同期信号Ｂは異なる信号であることから、テレビ受信機１００やシャッターメガネ３００の誤動作を防止するため、赤外線発光部２０２から、基準同期信号Ｂに基づく赤外線信号の出力を停止する。
【０１３０】
一方、シャッターメガネ３００は、テレビ受像機１００から送信される、基準同期信号Ａに基づく赤外線信号を、シャッター制御信号Ｃｓｈとして、受信する。詳細な説明は割愛するが、シャッターメガネ３００では、基準同期信号Ａの左眼画像表示信号Ａの表示タイミングに基づいて、左眼シャッター３００Ｌが開かれ、基準同期信号Ａの右眼画像表示信号Ａの表示タイミングに基づいて、右眼シャッター３００Ｒが開かれる。
【０１３１】
このようにシャッターメガネ３００が動作することで、このシャッターメガネ３００を装着した観視者は、パーソナルコンピュータ２００のディスプレイ２０１に対して、左眼で左眼画像（左眼画像データＢ）のみの知覚が可能となり、右眼で右眼画像（右眼画像データＢ）のみの知覚が可能となる。また、このシャッターメガネ３００を装着した観視者は、テレビ受像機１００のディスプレイ１０１に対して、左眼で左眼画像（左眼画像データＡ）のみの知覚が可能となり、右眼で右眼画像（右眼画像データＡ）のみの知覚が可能となる。そのため、観視者は、視差を有する左眼画像Ｌおよび右眼画像Ｒに基づいて、カラーの立体画像を認識可能となる。
【産業上の利用可能性】
【０１３２】
この発明は、１つのシャッターメガネで複数の画像表示装置で提示される立体画像を観視することが可能となるものであり、複数の画像表示装置からなる画像表示観察システムに適用できる。
【符号の説明】
【０１３３】
１０，１０Ａ・・・画像表示観察システム
１００，１００Ａ・・・テレビ受信機
１０１，２０１・・・ディスプレイ
１０２，２０２・・・赤外線（ＩＲ）発光部
１０３，２０３・・・赤外線（ＩＲ）受光部
１０４，２０４・・・ＣＰＵ
１１１・・・アンテナ端子
１１２・・・デジタルチューナ
１１３，２１３・・・ビットストリーム処理部
１１４，２１４・・・画像処理部
１１５，２１５・・・フレームシンクロナイザ
１１６，２１６・・・画像駆動部
１２１，２２１・・・同期信号出力制御部
１２２，２２２・・・外部同期制御部
１２３，２２３・・・同期信号処理部
１２４，２２４・・・動作クロック信号生成部
１２５，２２５・・・Ｕ／Ｉ制御部
１２６，２２６・・・無線送信部
１２７，２２７・・・無線受信部
１３１，２３１・・・解像度判別部
１３２，２３２・・・スイッチ部
１３３，２３３・・・基準同期信号調整部
２００，２００Ａ・・・パーソナルコンピュータ
２２６・・・ネットワーク端子
２２７・・・イーサネットインタフェース
２２８・・・ＢＤ／ＤＶＤドライブ
３００，３００Ａ・・・立体画像観察用のシャッターメガネ
３０１・・・メガネ部
３００Ｌ・・・左眼シャッター
３００Ｒ・・・右眼シャッター
３０２・・・赤外線（ＩＲ）受光部
３０３・・・シャッター駆動部
３０４・・・無線受信部
【図１】
2011188232.tif 000003
【図２】
2011188232.tif 000004
【図３】
2011188232.tif 000005
【図４】
2011188232.tif 000006
【図５】
2011188232.tif 000007
【図６】
2011188232.tif 000008
【図７】
2011188232.tif 000009
【図８】
2011188232.tif 000010
【図９】
2011188232.tif 000011
【図１０】
2011188232.tif 000012
【図１１】
2011188232.tif 000013
【図１２】
2011188232.tif 000014
【図１３】
2011188232.tif 000015
【図１４】
2011188232.tif 000016
【図１５】
2011188232.tif 000017